Podtech/llm-jp-corpus-v4-ja_patent huggingface dataset:
(57)【要約】【課題】クリップの、書類からはみ出した押さえ（柄）部分をなくし、見栄え良く使用出来るようにする。【解決手段】従来の底をコの字型にし、コの字の上の部分に支点をもってくる。下の空いた所に書類の端を入れる。【選択図】図１
2013001111.tif 000002
【特許請求の範囲】
【請求項１】
クリップの押さえ（柄）部分を書類の外から内へ移動し、見栄えを良くした。
【発明の詳細な説明】
【技術分野】
【０００１】本発明は、クリップの押さえ（柄）部分を外から内に移動し、見栄えを良くした。
【背景技術】
【０００２】押さえ（柄）部分が書類の外にあるため、狭い所では使いづらく、見栄えも良くなかった。
【特許文献１】
【０００３】
【発明の開示】
【発明が解決しようとする課題】
【０００４】狭い所では邪魔になり、見栄えも良くなかった押さえ（柄）部分を解消するためになされたものである。
【課題を解決するための手段】
【０００５】クリップの押さえ（柄）部分の支点を移動する事で押さえ部分の出っ張りをなくし、見栄えも良くした。
【発明の効果】
【０００６】見栄えも良くなり、狭い所でも使い良い。
【実施例１】
【０００７】従来の底をコの字型にし、コの字の上の部分に支点をもってくる。下の空いた所に書類の端を入れる。
【図面の簡単な説明】
【０００８】
【図１】本発明の側面図である。
【符号の説明】
【０００９】１  コの字型の底板
２  板バネ
３  支点
【図１】
2013001111.tif 000003
(57)【要約】【課題】  盛上げたい部分にポッティング液を肉盛する製造法を提供する。【解決手段】  シート（１）表面にポッティング液で肉盛する部位にスクリーン印刷にて、ポッティング液と相溶しないフッ素樹脂インクで部位の輪郭線（２）を盛上げて印刷、フッ素樹脂インクがポッティング液をはじき返す防止となり、輪郭線（２）の内側（３）又は外側（４）にポッティング液を滴下するとポッティング液の表面張力により輪郭線（２）よりも高くポッティング液を盛り上げ、ポッティング液を硬化させる製造法。【選択図】図１
2013001114.tif 000002
【特許請求の範囲】
【請求項１】
シート表面にポッティング液で肉盛する部位にスクリーン印刷にて、ポッティング液と相溶しないフッ素樹脂インクで部位の輪郭線を盛上げて印刷、フッ素樹脂インクがポッティング液をはじき返す防止となり、輪郭線の内側又は外側にポッティング液を滴下するとポッティング液の表面張力により輪郭線よりも高くポッティング液を盛り上げ、ポッティング液を硬化させる製造法。
【発明の詳細な説明】
【技術分野】
【０００１】  本発明は、盛上げたい部分にポッティング液を肉盛する方法に関する。
【背景技術】
【０００２】  ポッティング加工は、粘着シートに文字・図柄等をプロッターやトムソン刃等で切り抜きし、切り抜いた文字・図柄等を肉盛したい箇所に貼り付けポッティング液を滴下する工程、もう一つは、マスキングシートの一方の主面にポッティング樹脂液と相溶しない樹脂ストップ剤を塗布し、前記マスキングシートの他方の主面にセパレートシートを貼り付け、前記樹脂ストップ剤が塗布されたマスキングシートを目的とするポッティングの形状に対応した形状に切り抜く、こうして得られたマスキングシートの前記セパレータを剥がして、前記切り抜き部分にポッティング液を滴下させる工程が行われる。【０００３】  ここで従来の部分ポッティング加工は、ポッティング液を滴下する工程までに作業時間と費用がかかってします。
【先行技術文献】
【特許文献】
【０００４】
【特許文献】特開２００８−６６５４号公報
【発明の概要】
【発明が解決しようとする課題】
【０００５】  シートにプロッターやトムソン刃等で切り抜きし、切り抜き後の手作業による不必要部分の除去などに作業工程及び材料費用がかかる。【０００６】  そこで、この本発明は、シート表面にポッティング液で肉盛する部位にスクリーン印刷にて、ポッティング液と相溶しないフッ素樹脂インクで部位の輪郭線を盛上げて印刷、フッ素樹脂インクがポッティング液をはじき返す防止となり、輪郭線の内側又は外側にポッティング液を滴下するとポッティング液の表面張力により輪郭線よりも高くポッティング液を盛り上げ、ポッティング液を硬化させる製造法を提供することにある。
【課題を解決するための手段】
【０００７】  図１に示すように、シート（１）の主面にポッティング液で肉盛する部位にスクリーン印刷にて、ポッティング液と相溶しないフッ素樹脂インクで部位の輪郭線（２）を盛上げて印刷、フッ素樹脂インクがポッティング液をはじき返す防止となり、輪郭線（２）の内側（３）又は外側（４）にポッティング液を滴下するとポッティング液の表面張力により輪郭線（２）よりも高くポッティング液を盛り上げ、ポッティング液を硬化させる工程の製造法。
【発明の効果】
【０００８】  スクリーン印刷にて、肉盛りしたい部分に簡単に輪郭線を形成し、ポッティング液を滴下できる。ポッティング液の表面張力により輪郭線よりも高くポッティング液を盛り上げることができ、高級感と立体感を表現できる。
【図面の簡単な説明】
【０００９】
【図１】  本発明の実施形態を示す断面図である。
【発明を実施するための形態】
【実施例１】
【００１０】  本発明によるポッティング液を肉盛する製造法は、フッ素樹脂の特徴である離型性、非粘着性、潤滑性、耐磨耗性、耐薬品性など、他の物質と結合したりしないため高い離型性を発揮します。離型性の特徴を活用しスクリーン印刷にて輪郭線として形成、ポッティング液をはじき返す防止となり、輪郭線の内側又は外側にポッティング液を滴下するとポッティング液の表面張力により輪郭線よりも高くポッティング液を盛り上げ、ポッティング液を硬化させることができる。
【実施例２】
【００１１】  フッ素樹脂を入れずに輪郭線を盛上げて印刷、輪郭線の内側又は外側にポッティング液を滴下すると肉盛したい部分からポッティング液が輪郭線を乗り越え、ポッティング液が広がってしまう問題がある。
【実施例３】
【００１２】  フッ素樹脂のもう一つの特徴は、アクリル樹脂、ウレタン樹脂等にフッ素樹脂を添加すると、含フッ素アクリル樹脂、含フッ素ウレタン樹脂等になり、印刷するシート素材に応じて輪郭線の密着性を高めることができる。
【実施例４】
【００１３】  本発明の部分ポッティングは、高級感と立体感が表現され、ステッカー、ディスプレイ、ポスター、アパレル商品など、多種多様な用途品に適用することができます。
【図１】
2013001114.tif 000003
(57)【要約】【課題】名刺交換する際、或いは外出先で書類を捲るとき指を舐める人がいる。それらの不衛生な行為を解決する。【解決手段】携行のためペン型とし、使用するとき窓シャッターを引き、窓を開けスポンジに指を触れ紙を捲る際に必要な湿りを指に与える。以上を特徴とする【選択図】図２
2013001113.tif 000002
【特許請求の範囲】
【請求項１】
ペンシル形状の内部に水又は保湿性の液体を染み込ませるためのスポンジ等の吸水性物質を入れ込む場所を作る。
【請求項２】
胴体部にキャップを取り外さずにスポンジ等吸水性物質に触れることができる窓を作り、開け閉めできるシャッターを付する。
【発明の詳細な説明】
【技術分野】
【０００１】本発明はペンシル型形状の中に水または保湿性の液体を染み込ませるためのスポンジ等の吸水性合成物質を収納する場所を作りこんだ、携行用の紙捲りである。
【背景技術】
【０００２】従来の「紙捲り」製品は、デスクに置いて使用する。携行に不向き。
【先行技術文献】
【０００３】
【特許文献１】
【非特許文献１】
【発明の概要】
【発明が解決しようとする課題】
【０００４】本発明は場所、姿勢（例えば立ったままで本を立ち読みする際など）に関わらずポケットに忍ばせ、指を湿らすことができ、容易に紙が捲れる。指を舐めたりして紙を捲る、名刺を交換するなど他者を不愉快にするばかりでなく、不衛生。
【課題を解決するための手段】
【０００５】ペンシル状の筒に水或いは保湿液を浸すためのスポンジ等の合成物質を収納する。
【発明の効果】
【０００６】指を舐めて名刺交換、紙を捲るなど不衛生なことがなくなる。
【図面の簡単な説明】
【０００７】
【図１】全体図
【図２】使用時
【図３】スポンジ等の収納時
【発明を実施するための形態】
【０００８】図２で示す形態である。ペンシル状のものにスポンジ或いは、吸水性をもつ合成物質を入れ込む。
【符号の説明】
【０００９】１・ペン胴体部                ５・ポケットに留めるピン
２・スポンジ                  ６・窓シャッター
３・窓を開けるためのツメ      ７・窓枠
【図１】
2013001113.tif 000003
【図２】
2013001113.tif 000004
【図３】
2013001113.tif 000005
(57)【要約】      （修正有）【課題】缶ビールや缶ジュース類を飲むときに、缶の縁に直接に唇を当てて飲むと、感触も悪く、プル−タブの形が縦長であるため、ビールやジュースが飲みにくい流れ方になるので、缶ビールや缶ジュース類に、簡単に取り付けることができ、コップやグラスの飲み口の形になる補助具の提供。【解決手段】ポリエチレン等の柔軟性のある樹脂で成形加工された、コップやグラスの縁に相当する、飲み口１と、缶の蓋の溝に密着する部分２と、缶の蓋と胴部の溝に密着する部分３と、缶の蓋と胴部の溝に密着する部分３を蓋と胴部の溝に固定する部分５を備えた補助具。【選択図】図１
2013001456.tif 000002
【特許請求の範囲】
【請求項１】
ポリエチレンのような、柔軟性や耐水性に富んだ材質で成型加工されている。
【請求項２】
図１の２の部分が蓋の溝に、４の部分が蓋と胴部の溝に密着して、簡単に取り付けや取り外しができる。
【発明の詳細な説明】
【技術分野】
【０００１】  本発明は、缶ビールや缶ジュース類を飲むとき、コップやグラス感覚で飲めることに関する。
【背景技術】
【０００２】  従来、缶ビールや缶ジュース類を家庭で飲むときは、コップやグラスを用いて飲むことが通常であるが、屋外で飲むときは、缶の縁に直接に唇を当てて飲むことが多い。
【発明の概要】
【発明が解決しようとする課題】
【０００３】  缶ビールや缶ジュース類の、缶の縁に直接に唇を当てて飲むことは、缶の冷たさの感触と、プル−タブの形が縦長になっているため、ビールやジュースの流れが悪く、飲みにくいものである。【０００４】  缶ジュースは、ストローで飲むこともあるが、ビールにも、このように持ち運びが簡便で、かつ、簡単な操作でグラス感覚になるものがあると良い。
【課題を解決するための手段】
【０００５】  缶ビールや缶ジュース類を、コップやグラス感覚で飲むには、補助具が必要である。缶に取り付けて、ビールやジュースが流れるのであるから、ポリエチレンのような柔軟性や耐水性に富んだ材質で、１図のように成型すればよい。【０００６】  図１の２の部分を蓋の溝に密着させることにより、ビールやジュースが流れ出すのを防ぐことができる。【０００７】  ４の角張った先端部分が蓋と胴部の溝に食い込み、３のバネの力で押えるので、使用中に補助具が外れることがない。
【発明の効果】
【０００８】  この補助具を付けて飲むと、コップやグラスで飲んでいるのと同じ感覚になる。
【図面の簡単な説明】
【０００９】
【図１】  補助具の斜視図
【図２】  補助具の正面図
【図３】  補助具の平面図
【図４】  補助具の下面図
【図５】  補助具の右側面図
【図６】  図２におけるＡ−Ａ線の断面図
【発明を実施するための形態】
【００１０】  以下、本発明の実施の形態を、図１に基づいて説明する。
【００１１】  １は唇に当る部分で、コップやグラスの縁の役目をし、２が缶の蓋の溝に密着する部分で、ビールやジュースの漏れを防ぐことができる。
【００１２】  ４が缶の蓋と胴部の溝に食い込む部分であり、ポリエチレンの柔軟性によっつて、３がバネの役目もする。
【符号の説明】
【００１３】  １  コップやグラスの縁に相当する、飲み口
２  缶の蓋の溝に密着する部分
３  缶の蓋と胴部の溝に密着する部分
４  ポリエチレンの柔軟性を生かし、３を蓋と胴部の溝に固定する部分
５  ４に弾力性を持たせるための切り込み
【図１】
2013001456.tif 000003
【図２】
2013001456.tif 000004
【図３】
2013001456.tif 000005
【図４】
2013001456.tif 000006
【図５】
2013001456.tif 000007
【図６】
2013001456.tif 000008
(57)【要約】      （修正有）【課題】紙がカールすることを効果的に防止できる紙転送装置を提供すること。【解決手段】紙転送装置は、トレー１１と、固定棚１２と、固定棚に回転可能に装着され且つ紙２をトレーまで転送するためのホイールモジュール２０と、トレーの上方に固定され且つホイールモジュールに対向して設けられる止め部材３０と、を備え、止め部材は、ホイールモジュールにより転送される紙の一端を係止して、紙を上向きにカールさせた後、トレーに送り出す。【選択図】図２
2013001572.tif 000002
【特許請求の範囲】
【請求項１】
トレーと、固定棚と、前記固定棚に回転可能に装着され且つ紙を前記トレーまで転送するホイールモジュールと、前記トレーの上方に固定され且つ前記ホイールモジュールに対向して設置される止め部材と、を備えてなる紙転送装置であって、
前記止め部材は、前記ホイールモジュールにより転送される前記紙の一端を係止して、前記紙を上向きにカールさせた後、前記トレーに送り出すことを特徴とする紙転送装置。
【請求項２】
前記ホイールモジュールは、主動ホイール及び従動ホイールを備え、前記紙は、前記主動ホイールと前記従動ホイールとの間から送り出されることを特徴とする請求項１に記載の紙転送装置。
【請求項３】
前記止め部材は、固定端部及び自由端部を備え、前記固定端部は、前記トレーに平行であり且つ前記固定棚の上端に近接して固定され、前記自由端部は、前記固定端部の一端に直交して接続され且つ前記主動ホイールと前記従動ホイールとの間の紙の出る位置の下方まで延在することを特徴とする請求項２に記載の紙転送装置。
【発明の詳細な説明】
【技術分野】
【０００１】
本発明は、紙転送装置に関し、特に紙がカールすることを防止できる紙転送装置に関するものである。
【背景技術】
【０００２】
コピー機及びプリンター等の事務設備には、通常紙を送り出すために用いられる紙転送装置が設置される。ユーザーが、紙転送装置を使用して、高濃度の図案或いは画像が印刷された紙を送り出す時に、インクの特性による紙の剛性が弱くなる問題がよく発生する。特に、紙の繊維方向に沿って印刷する際、上記の問題は顕著である。従って、従来の紙転送装置は、高濃度の図案或いは画像が印刷された紙を送り出す際、紙が下向きにカールする現象が発生し、さらに紙が挟まれるか或いは紙が破損される。
【発明の概要】
【発明が解決しようとする課題】
【０００３】
そこで、本発明は、上記の問題点を考慮してなされたものであり、紙がカールすることを効果的に防止できる紙転送装置を提供することを目的とする。
【課題を解決するための手段】
【０００４】
前記課題を解決するために、本発明に係る紙転送装置は、トレーと、固定棚と、前記固定棚に回転可能に装着され且つ紙を前記トレーまで転送するためのホイールモジュールと、前記トレーの上方に固定され且つ前記ホイールモジュールに対向して設置される止め部材と、を備え、前記止め部材は、前記ホイールモジュールにより転送される前記紙の一端を係止して、前記紙を上向きにカールさせた後、前記トレーに送り出す。
【発明の効果】
【０００５】
本発明の紙転送装置は、紙を送り出す際に、紙がカールすることを防止でき、プリンター等の事務設備の性能を高めた。
【図面の簡単な説明】
【０００６】
【図１】本発明の実施形態に係る紙転送装置の構造を示す図である。
【図２】図１に示した紙転送装置によって紙を送り出す時の作動状態を示す図である。
【発明を実施するための形態】
【０００７】
図１に示したように、本発明の実施形態に係る紙転送装置１は、紙２を載置するトレー１１と、前記トレー１１にほぼ垂直に連接する固定棚１２と、ホイールモジュール２０と、止め部材３０と、を備える。前記ホイールモジュール２０は、前記固定棚１２に回転可能に装着されて、前記紙２を前記トレー１１に送達するために用いられる。前記止め部材３０は、前記ホイールモジュール２０に向かい合って設置され、前記ホイールモジュール２０が転送する前記紙２の一端に係止して紙２がトレー１１上に落下することを阻止して、前記紙２を上向きにカールさせた後に前記トレー１１上に送り出す。これにより、前記紙２が前記トレー１１に供給される時に下向きにカールすることを効果的に防止する。
【０００８】
本発明の実施形態において、前記ホイールモジュール２０は、主動ホイール２１及び従動ホイール２２を備える。前記紙２は、前記主動ホイール２１と前記従動ホイール２２との間から外へ送り出される。
【０００９】
前記止め部材３０は、柔軟な材料からなり、前記トレー１１の上方に位置し、且つ前記固定棚１２の側面に固定される固定端部３１及び自由端部３２を備える。前記固定端部３１は、前記トレー１１に平行であり且つ前記固定棚１２の上端に近接して設置される。前記自由端部３２は、前記固定端部３１の一端に直交して接続され、且つ前記主動ホイール２１と前記従動ホイール２２との間の紙の出る位置の下方まで延在する。
【００１０】
図２に示したように、前記紙２が前記主動ホイール２１及び前記従動ホイール２２によって前記止め部材３０まで送達されると、前記紙２の一端は、前記止め部材３０の自由端部３２との間の摩擦力及び自重の協働作用で、上向きに曲がる。前記紙２と前記自由端部３２との摩擦力が前記紙２の自重より小さくなると、前記紙２は前記トレー１１上に送り出される。
【００１１】
本発明の実施形態によると、前記止め部材３０によって、前記紙２は送り出される際に上向きにカールするので、前記紙２が下向きにカールする現象を効果的に防止することができる。これと同時に、前記止め部材３０の阻止によって、前記紙２が前記トレー１１に送り出されるまでにかかる時間を延長したので、前記紙２上のインクはよく乾燥して、前記紙２は送り出されて前記トレー１１に落下した後にカールすることを防止できる。
【００１２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１３】
１        紙転送装置
２        紙
１１      トレー
１２      固定棚
２０      ホイールモジュール
２１      主動ホイール
２２      従動ホイール
３０      止め部材
３１      固定端部
３２      自由端部
【図１】
2013001572.tif 000003
【図２】
2013001572.tif 000004
(57)【要約】【課題】生ごみの水分を減少する為の、絞り棒を設けた生ごみ等の水切り容器、三角コーナーを提供する。【解決手段】生ごみ等の水切り容器、三角コーナーの内面の一部に、絞り棒を設ける。【選択図】図１
2013001567.tif 000002
【特許請求の範囲】
【請求項１】
台所の洗い場に設置する生ごみを受ける生ごみ等の水切り容器及び三角コーナー等の生ゴミを集め収納する器具の内面の一部に生ごみの水分を絞る絞り棒を設けた生ごみ等の水切り容器。
【発明の詳細な説明】
【技術分野】
【０００１】本発明は、台所の洗い場に設置した生ごみを受ける生ごみ等の水切り容器、三角コーナー等の生ごみを集め収納する器具に生ごみの水分を絞る機能を設けた生ごみ等の水切り容器に関するものである。
【背景技術】
【０００２】従来、生ごみ受け容器は、単に生ごみを受けて廃棄するためだけで、水分を絞るには直接手で触れて絞る、重石を乗せる、抑える器具で絞る等の器具を使用しての水分除去しかなく、生ごみ受けに水分を除去する機能はなかった。そのために水分を一般的には７０〜８０％含んだ状態で廃棄され廃棄物の増加また焼却に際しては多量の重油、石炭等の燃料を使用し温暖化の一因となっていた。
水切り容器は、特許公開２００８−１４３７０３、特許公開２００７−２０４２３３に見られるように台所のシンク内での場所を取らない、生ゴミを袋に包んで衛生的に保管する。また、生ごみの水分を減少する為には、特許公開２００６−２８２３８８に見られるように容器の底部に突起をつけたものがあるが生ごみを長時間容器に保管する時は効果が認められるが通常、食器或いは食品を洗浄して極めて短い時間に処理する為、突起だけではより大きな効果が期待できない。特許公開２００６−７２９０には水分の絞り効果を出す為に生ごみ圧縮器があるが場所が狭いところでの使用で保管場所を取る、また、圧縮器に生ごみが付着し衛生的に問題があった。また特許公開２００５−１６２４０４にも押さえ蓋で水分を絞る方法が提案されているが同様の問題があった。また、容器が錆ないようにステンレス製の物や、抗菌効果をだすために銅製のものがあるが何れも水分の除去を目的に作られて物ではない。
【発明の概要】
【発明が解決しようとする課題】
【０００３】そのために次のような問題点があった。
（イ）生ごみを直接手で絞るのは、衛生的でなく抵抗があり殆ど実施されていない。
（ロ）圧縮器で絞る、押さえ蓋で絞る、重石を乗せる等の絞る方法は、狭い台所、流し場には置場がなくまた非衛生的であり一般には殆ど普及してなく水分の多い状態で廃棄されいた。
【課題を解決するための手段】
【０００４】（イ）生ごみ等水切り容器の内面の一部に、絞り棒を設けネット状の生ごみ袋の上端を通し引っ張ることで絞る機能を設ける。また、三角コーナーにも同様の絞り棒を設ける。
（ロ）絞り棒は絞る時の抵抗を小さくする為、ローラー状にすると良い。
【発明の効果】
【０００５】（イ）地球温暖化防止が叫ばれ生ごみの減量化は毎日のことであり個々の家庭での小さい減量が大きな効果となる。特に生ごみの７０〜８０％は水分であり簡単に衛生的に絞ることで大きな効果につながる。また現在焼却処理が多く、重油、石炭の節減となる。
例えば、５０，０００世帯の市の場合、毎日１０〜１５ｇの水分を各家庭で絞れば年間約２００トンの減量となり、全量焼却とすれば重油約１０トンの節減となる。
（重油発熱量  ４３メガジュール／ｋｇとして）
（ロ）ネット状の生ごみ袋の上端をローラー状の絞り棒に通して引っ張るだけなので直接生ごみに手を触れることなく衛生的であり一般に普及しやすい。また台所の流し場に新たにスペースはとることはなく通常の作業の弊害にならない。
生ごみを絞り水分を減少することは廃棄物の減少の一番簡単で誰でも何処でも簡単に出来攻果は非常に大きいが便利で作業がし易い器具がなく一般に普及していなかった。
【発明を実施するための最良の形態】
【０００６】以下本発明の実施の形態について説明する。
（イ）  流し場の中央付近に通常設置する生ごみ等の水切り容器（１）の内面の一部にごみ受けネット袋の上部を通して絞るローラー状の絞り棒（２）を取付具（３）で設置する。
（ロ）流し場のコーナーに通常設置する三角コーナー（４）の一部にごみ受けネットの上部を通して絞るローラー状の絞り棒（５）を取付具（６）で設置する。
本発明は以上のような構成でこれを使用するときは、生ごみを受けて廃棄する前に絞り棒にごみ受けネットの上部を通し引っ張ることで生ごみの水分が絞られる。
【図面の簡単な説明】
【０００７】
【図１】本発明の生ごみ等の水切り容器の平面図及び正面図
【図２】本発明の三角コーナーの平面図及び正面図
【符号の説明】
【０００８】      １    生ごみ等の水切り容器
２    絞り棒
３    取付具
４    三角コーナー
５    絞り棒
６    取付具
【図１】
2013001567.tif 000003
【図２】
2013001567.tif 000004
(57)【要約】      （修正有）【課題】特有の臭いや不快感が無く、使用感が良い牛脂を使用した化粧品の提供。【解決手段】不飽和脂肪酸やカロテン色素を含む放牧によって育成した国産の褐毛和種（あか牛）の油脂を保護クリームとして含む化粧品。また、該牛脂にミント、ラベンダーなどのハーブを入れて煮込み、牛脂を濾して抽出し、さらに蒸気蒸留器によって抽出した天然のハーブエキスを加えることで、独特の臭いや不快感が無く、ハーブの香や成分による癒し効果が期待できる化粧品。【選択図】なし【特許請求の範囲】
【請求項１】
原料には国産材料の牛脂を使用し、放牧に適した品種である、あか牛の油脂を成分として含むことを特徴とする化粧品。
【請求項２】
牛脂にミント、ラベンダーなどのハーブを入れて煮込み、濾した後に、さらにローズ、ハイビスカス、ラベンダー、カモミール、オレンジ、グレープフルーツ、ドクダミ、ヨモギ、レモングラス、ローズマリー、ミント、ニーム、ユーカリレモン、スイカなど種々のハーブを図１に示した蒸気蒸留器又は同等の効果のある器具によって抽出したエキスを単一もしくは複数種類を配合したものを混合し、特融の臭気を軽減した牛脂を使用することを特徴とする化粧品。
【請求項３】
安定剤として蜜蝋、オリーブオイルなどの天然物由来の油脂類を含むことがある化粧品。
【発明の詳細な説明】
【技術分野】
【０００１】  この発明は、化粧品の成分および製造方法に関する。
【背景技術】
【０００２】  ［非特許文献１］［０００４］によれば放牧牛の牛脂は舎飼い牛のものに比べ、不飽和脂肪酸が多いために融点が低い。また、一般的にエサとして食べる生草中のカロテンなどの色素が脂肪に蓄積している。
【先行技術文献】
【特許文献】
【０００３】
【特許文献１】特願平８−１３９５２３
【特許文献２】
【非特許文献】
【０００４】
【非特許文献１】  Ｉｍｐｒｏｖｉｎｇ  ｔｈｅ  ｑｕａｌｉｔｙ  ｏｆ  ｐｒｏｄｕｃｔｓ  ｆｒｏｍ  ｇｒａｓｓｌａｎｄ  Ｎ．Ｄ．Ｓｃｏｌｌａｎ，Ｒ．Ｊ．Ｄｅｗｈｕｒｓｔ，Ａ．Ｐ．Ｍｏｌｏｎｅｙ  ａｎｄ  Ｊ．Ｊ．Ｍｕｒｐｈｙ
【発明の概要】
【発明が解決しようとする課題】
【０００５】  放牧牛と舎飼い牛とでは、牛脂に含まれる脂肪酸の組成や脂肪中に含有される成分（カロテンなど）の含有量が異なるが、化粧品の原料となる動物由来の脂肪は、同じ原料として扱われていた。
次に、牛脂をそのまま製品原料として利用すると不快な臭いが残り、それを除くために多くの香料が使用されるもしくは、精製が行われることもある。香料は人口的に合成されたものや、精製されたものが多く用いられるため、皮膚や毛に悪影響を及ぼす可能性がある。油脂が本来備えている手肌の保護に有効性を発揮するかもしれない成分も精製の過程で除去されていた可能性がある。
ただし、海外では牛の育成段階でホルモン剤が使用されることもあるなど、安全性に問題があり、消費者からは国産材料の使用が求められている。
【課題を解決するための手段】
【０００６】  保護クリームの主成分として、不飽和脂肪酸やカロテン色素を含む放牧によって育成した国産の褐毛和種（以下、あか牛）の油脂含む。
この牛脂にハーブを入れて煮込み、牛脂を濾して抽出し、さらに、図１に示した蒸気蒸留器によって抽出した天然のハーブエキスを加えることで、独特の臭いや不快感が無く、ハーブの香や成分による癒し効果が期待でき、使用感の良い化粧品を提供する。
【発明の効果】
【０００７】  一般的な舎飼い牛に比べ、放牧で育ったあか牛の油脂は不飽和脂肪酸を多く含むため、融点が低いことが特徴である。そのため、容易に髪や肌へなじみ、しっとりとした感触を得られ、まんべんなく塗布することができる。そして、牛脂に含まれるカロテンなどの色素には抗酸化作用が期待できる。
また、ハーブ由来の抽出エキスを加えることで、肌への刺激が少なく、人工の香料では再現できない、嫌味のない、穏やかな香りを楽しむことができ、ブレンドされるハーブの種類に応じて、癒しなど様々な効果が期待できる。
【図１】
2013001704.tif 000002
【手続補正書】
【提出日】平成23年11月17日(2011.11.17)
【手続補正１】
【補正対象書類名】明細書
【補正対象項目名】全文
【補正方法】変更
【補正の内容】
【発明の詳細な説明】
【技術分野】
【０００１】この発明は、化粧品の成分および製造方法に関する。
【背景技術】
【０００２】
【非特許文献１】［０００４］によれば放牧牛の牛脂は舎飼い牛のものに比べ、不飽和脂肪酸が多いために融点が低い。また、一般的にエサとして食べる生草中のカロテンなどの色素が脂肪に蓄積している。
【先行技術文献】
【特許文献】
【０００３】
【特許文献１】特願平８−１３９５２３
【特許文献２】
【非特許文献】
【０００４】
【非特許文献１】Ｉｍｐｒｏｖｉｎｇ  ｔｈｅ  ｑｕａｌｉｔｙ  ｏｆ  ｐｒｏｄｕｃｔｓ  ｆｒｏｍ  ｇｒａｓｓｌａｎｄ  Ｎ．Ｄ．Ｓｃｏｌｌａｎ，Ｒ．Ｊ．Ｄｅｗｈｕｒｓｔ，Ａ．Ｐ．Ｍｏｌｏｎｅｙ  ａｎｄ  Ｊ．Ｊ．Ｍｕｒｐｈｙ
【発明の概要】
【発明が解決しようとする課題】
【０００５】放牧牛と舎飼い牛とでは、牛脂に含まれる脂肪酸の組成や脂肪中に含有される成分（カロテンなど）の含有量が異なるが、化粧品の原料となる動物由来の脂肪は、同じ原料として扱われていた。
次に、牛脂をそのまま製品原料として利用すると不快な臭いが残り、それを除くために多くの香料が使用されるもしくは、精製が行われることもある。香料は人口的に合成されたものや、精製されたものが多く用いられるため、皮膚や毛に悪影響を及ぼす可能性がある。油脂が本来備えている手肌の保護に有効性を発揮するかもしれない成分も精製の過程で除去されていた可能性がある。
ただし、海外では牛の育成段階でホルモン剤が使用されることもあるなど、安全性に問題があり、消費者からは国産材料の使用が求められている。
【課題を解決するための手段】
【０００６】保護クリームの主成分として、不飽和脂肪酸やカロテン色素を含む放牧によって育成した国産の褐毛和種（以下、あか牛）の油脂含む。
この牛脂にハーブを入れて煮込み、牛脂を濾して抽出し、さらに、図１に示した蒸気蒸留器によって抽出した天然のハーブエキスを加えることで、独特の臭い
2013001704.tif 000003
【発明の効果】
【０００７】一般的な舎飼い牛に比べ、放牧で育ったあか牛の油脂は不飽和脂肪酸を多く含むため、融点が低いことが特徴である。そのため、容易に髪や肌へなじみ、しっとりとした感触を得られ、まんべんなく塗布することができる。そして、牛脂に含まれるカロテンなどの色素には抗酸化作用が期待できる。
また、ハーブ由来の抽出エキスを加えることで、肌への刺激が少なく、人工の香料では再現できない、嫌味のない、穏やかな香りを楽しむことができ、ブレンドされるハーブの種類に応じて、癒しなど様々な効果が期待できる。
【図面の簡単な説明】
【０００８】
【図１】ハーブエキスの抽出を表す立面図  水蒸気蒸留器に水やその他の溶媒とエキスを抽出したいハーブ等を入れる。そこへ熱源から熱を加えることで、蒸気を発生させる。この蒸気と蒸気に含まれる香りなどの成分を冷却し、凝縮することでエキスが得られる。この凝縮エキスを使用する。
(57)【要約】      （修正有）【課題】口の中に残っても安心な素材、食べても安全な歯磨き粉ないし、歯の洗浄剤の提供。【解決手段】殺菌効果のある天然由来の抽出物及び食品として認められている成分を原料とし、口の中に残っても安心な素材、食べても安全な歯磨きハーブ。かおり及び殺菌効果を上げるために、ハーブから水蒸気蒸留法によって集めたエキスを塩に煮詰めて加える。【選択図】図１
2013001703.tif 000002
【特許請求の範囲】
【請求項１】
少なくとも［選択図］図１に示した蒸気蒸留器もしくは同等の作用のある器具を使用して抽出した植物エキスを練りこんだ塩（食用塩類）および植物粉末、グリセリン、重曹を含むことを特徴とする歯の洗浄剤。
【発明の詳細な説明】
【技術分野】
【０００１】  この発明は、歯磨き用の洗浄剤に関する。
【発明が解決しようとする課題】
【０００５】  老人ホームなど介護の必要な高齢者は誤飲によって、食べ物を気管から肺に入れてしまうことが多く、このことが原因で、肺炎を引き起こし、重篤化することが問題となっている。
特に、口内の細菌が多い状態では、そのリスクはより高くなる傾向にある。そのため、歯磨きによる口腔内のケアが大変重要となる。
しかしながら、歯を磨く際に、歯磨き粉を飲み込んでしまうことも多く、従来の歯磨き粉の使用に抵抗を覚える介護者も多い。
【課題を解決するための手段】
【０００６】  殺菌効果のある天然由来の抽出物及び食品として認められている成分を原料とした、食べても安全な歯磨きハーブを提唱する。
少なくとも、蒸気蒸留器もしくは同等の器具を用いて抽出した植物エキスを練りこんだ塩（食用塩類）を含むことを特徴とする歯の洗浄剤。
【図１】
2013001703.tif 000003
【手続補正書】
【提出日】平成23年11月17日(2011.11.17)
【手続補正１】
【補正対象書類名】明細書
【補正対象項目名】全文
【補正方法】変更
【補正の内容】
【発明の詳細な説明】
【技術分野】
【０００１】  この発明は、歯磨き用の洗浄剤に関する。
【発明が解決しようとする課題】
【０００２】  老人ホームなど介護の必要な高齢者は誤飲によって、食べ物を気管から肺に入れてしまうことが多く、このことが原因で、肺炎を引き起こし、重篤化することが問題となっている。
特に、口内の細菌が多い状態では、そのリスクはより高くなる傾向にある。そのため、歯磨きによる口腔内のケアが大変重要となる。
しかしながら、歯を磨く際に、歯磨き粉を飲み込んでしまうことも多く、従来の歯磨き粉の使用に抵抗を覚える介護者も多い。
【課題を解決するための手段】
【０００３】  殺菌効果のある天然由来の抽出物及び食品として認められている成分を原料とした、食べても安全な歯磨き粉を提唱する。
少なくとも、蒸気蒸留器もしくは同等の器具を用いて抽出した植物エキスを練りこんだ塩（食用塩類）を含むことを特徴とする歯の洗浄剤。
【図面の簡単な説明】
【０００４】
【図１】ハーブエキスの抽出を表す立面図  水蒸気蒸留器に水やその他の溶媒とエキスを抽出したいハーブ等を入れる。そこへ熱源から熱を加えることで、蒸気を発生させる。この蒸気と蒸気に含まれる香りなどの成分を冷却し、凝縮することでエキスが得られる。この凝縮エキスを使用する。
(57)【要約】【課題】  ハーブを煮詰めて作った化粧水の香りを維持し、色を鮮やかに着色することを課題とする。【解決手段】  花びらや葉などのハーブから図１に示すような水蒸気蒸留法によって集めたエキスに乾燥させたハーブを加えて煮詰めることで、色鮮やかで、ハーブが持つ肌への機能性も期待できる、人工香料では作り出せない嫌味のない優しい香りを持つ化粧水を作ることができた。【選択図】図１
2013001705.tif 000002
【特許請求の範囲】
【請求項１】
ハーブから図１に示すような水蒸気蒸留法によって集めたエキスに、さらに乾燥させたハーブを加えて煮詰めることで、色鮮やかで、ハーブが持つ肌への機能性も期待できる、嫌味のない優しい香りを持つことを特徴とする化粧水。
【発明の詳細な説明】
【技術分野】
【０００１】この発明は、化粧水の製造方法に関する。
【背景技術】
【０００２】ハーブを煮詰めて作った化粧水は香りがほとんど飛んでしまうことが多かった。
また、水にふくまれる微量のミネラルによって化粧水の色が微妙に変化してしまっていた。
【発明が解決しようとする課題】
【０００５】ハーブを煮詰めて作った化粧水の香りを維持し、色を鮮やかに着色することを課題とする。
【課題を解決するための手段】
【０００６】  花びらや葉などのハーブから図１に示すような水蒸気蒸留法によって集めたエキスに乾燥させたハーブを加えて煮詰めることで、色鮮やかで、ハーブが持つ肌への機能性も期待できる、人工香料では作り出せない嫌味のない優しい香りを持つ化粧水を作ることができた。
【図１】
2013001705.tif 000003
【手続補正書】
【提出日】平成23年11月17日(2011.11.17)
【手続補正１】
【補正対象書類名】明細書
【補正対象項目名】全文
【補正方法】変更
【補正の内容】
【発明の詳細な説明】
【技術分野】
【０００１】この発明は、化粧水の製造方法に関する。
【背景技術】
【０００２】ハーブを煮詰めて作った化粧水は香りがほとんど飛んでしまうことが多かった。
また、水にふくまれる微量のミネラルによって化粧水の色が微妙に変化してしまっていた。
【発明が解決しようとする課題】
【０００５】ハーブを煮詰めて作った化粧水の香りを維持し、色を鮮やかに着色することを課題とする。
【課題を解決するための手段】
【０００６】  花びらや葉などのハーブから図１に示すような水蒸気蒸留法によって集めたエキスに乾燥させたハーブを加えて煮詰めることで、色鮮やかで、ハーブが持つ肌への機能性も期待できる、人工香料では作り出せない嫌味のない優しい香りを持つ化粧水を作ることができた。
【図面の簡単な説明】
【０００７】
【図１】ハーブエキスの抽出を表す立面図  水蒸気蒸留器に水やその他の溶媒とエキスを抽出したいハーブ等を入れる。そこへ熱源から熱を加えることで、蒸気を発生させる。この蒸気と蒸気に含まれる香りなどの成分を冷却し、凝縮することでエキスが得られる。この凝縮エキスを使用する。
(57)【要約】【課題】  鶏皮原料をそのまま利用すると不快な臭いが残る。これを消すために、香料は人口的に合成されたものや、精製されたものが多く用いられる。そのため、皮膚や毛に悪影響を及ぼす可能性があり、油脂が本来備えている手肌の保護に有効性を発揮するかもしれない成分も精製の過程で除去されていた可能性がある。【解決手段】  天草大王種の鶏皮とハーブを一緒に煮込んで抽出したものに、さらに、図１に示した蒸気蒸留器によって抽出した天然のハーブエキスを加えることで、独特の臭いや不快感が無く、ハーブの香や成分による癒し効果が期待でき、肌に潤いを与え、乾燥を防ぎ、あれを防止し、肌のキメを整える、日焼け防止、シミやソバカスの防止、肌をひきしめる、肌を洗浄する、肌を健やかに保つ、肌に柔軟性を与える、肌を保護する、肌の、ひげそり後の肌を整えるなど様々な用途に使用することのできる画期的な化粧品を提供する。【選択図】図１
2013001706.tif 000002
【特許請求の範囲】
【請求項１】
原料には天草大王種の鳥皮を使用し、［請求項２］による製法で抽出したコラーゲンとチキンオイルを含むエキスを成分として含むことを特徴とする化粧品。
【請求項２】
天草大王の鶏皮部位とミント、ラベンダーなどのハーブとを一緒に煮込み、エキスを濾した後に、さらにローズ、ハイビスカス、ラベンダー、カモミール、オレンジ、グレープフルーツ、ドクダミ、ヨモギ、レモングラス、ローズマリー、ミント、ニーム、ユーカリレモン、スイカなど種々のハーブを図１に示した蒸気蒸留器又は同等の効果のある器具によって抽出したエキスを単一もしくは複数種類を配合したものを混合し、特融の臭気を軽減したものを原料として使用することを特徴とする化粧品。
【請求項３】
安定剤として蜜蝋、オリーブオイルなどの天然物由来の油脂類を含むことがあるクリーム。
【発明の詳細な説明】
【技術分野】
【０００１】この研究は化粧品の製法に関する。
【発明が解決しようとする課題】
【０００５】  鶏皮原料をそのまま利用すると不快な臭いが残る。これを消すために、香料は人口的に合成されたものや、精製されたものが多く用いられる。そのため、皮膚や毛に悪影響を及ぼす可能性があり、油脂が本来備えている手肌の保護に有効性を発揮するかもしれない成分も精製の過程で除去されていた可能性がある。
【課題を解決するための手段】
【０００６】  天草大王種の鶏皮とハーブを一緒に煮込んで抽出したものに、さらに、図１に示した蒸気蒸留器によって抽出した天然のハーブエキスを加えることで、独特の臭いや不快感が無く、ハーブの香や成分による癒し効果が期待でき、肌に潤いを与え、乾燥を防ぎ、あれを防止し、肌のキメを整える、日焼け防止、シミやソバカスの防止、肌をひきしめる、肌を洗浄する、肌を健やかに保つ、肌に柔軟性を与える、肌を保護する、肌の、ひげそり後の肌を整えるなど様々な用途に使用することのできる画期的な化粧品を提供する。
【発明の効果】
【０００７】  動物特有の臭気を抑えた鶏皮に含まれるコラーゲンやチキンオイルによって肌のうるおいを保つことができる。
ハーブ由来の抽出エキスを加えることで、人工の香料では再現できない、嫌味のない、穩やかな香りを楽しむことができ、ブレンドされるハーブの種類に応じて、癒しなど様々な効果が期待できる。
【図１】
2013001706.tif 000003
【手続補正書】
【提出日】平成23年11月17日(2011.11.17)
【手続補正１】
【補正対象書類名】明細書
【補正対象項目名】全文
【補正方法】変更
【補正の内容】
【発明の詳細な説明】
【技術分野】
【０００１】  この研究は化粧品の製法に関する。
【発明が解決しようとする課題】
【０００５】  鶏皮原料をそのまま利用すると不快な臭いが残る。これを消すために、香料は人口的に合成されたものや、精製されたものが多く用いられる。そのため、皮膚や毛に悪影響を及ぼす可能性があり、油脂が本来備えている手肌の保護に有効性を発揮するかもしれない成分も精製の過程で除去されていた可能性がある。
【課題を解決するための手段】
【０００６】  天草大王種の鶏皮とハーブを一緒に煮込んで抽出したものに、さらに、図１に示した蒸気蒸留器によって抽出した天然のハーブエキスを加えることで、独特の臭いや不快感が無く、ハーブの香や成分による癒し効果が期待でき、肌に潤いを与え、乾燥を防ぎ、あれを防止し、肌のキメを整える、日焼け防止、シミやソバカスの防止、肌をひきしめる、肌を洗浄する、肌を健やかに保つ、肌に柔軟性を与える、肌を保護する、肌の、ひげそり後の肌を整えるなど様々な用途に使用することのできる画期的な化粧品を提供する。
【発明の効果】
【０００７】  動物特有の臭気を抑えた鶏皮に含まれるコラーゲンやチキンオイルによって肌のうるおいを保つことができる。
ハーブ由来の抽出エキスを加えることで、人工の香料では再現できない、嫌味のない、穏やかな香りを楽しむことができ、ブレンドされるハーブの種類に応じて、癒しなど様々な効果が期待できる。
【図面の簡単な説明】
【０００８】
【図１】ハーブエキスの抽出を表す立面図  水蒸気蒸留器に水やその他の溶媒とエキスを抽出したいハーブ等を入れる。そこへ熱源から熱を加えることで、蒸気を発生させる。この蒸気と蒸気に含まれる香りなどの成分を冷却し、凝縮することでエキスが得られる。この凝縮エキスを使用する。
(57)【要約】      （修正有）【課題】強すぎる日光をある程度遮断し、木漏れ日のような日陰を作るネットを提供する。【解決手段】強い日差しにより、建物や室内の温度が異常に上昇するのを防ぐため、日が当たる窓などに園芸用等の枡目の大きな（一枡が１５ｃｍ角程度）ベースネット１に、合成繊維（雨傘の生地）などで作った、ブドウや朝顔等の葉を模した木の葉状短冊２を多数取り付け、木の葉状短冊２が取り付けられたベースネット１を取り付け用フック３と固定具５にて、垂らすか又は張るようにして設置し木陰を作る。【選択図】図１
2013104185.tif 000002
【特許請求の範囲】
【請求項１】
強い日差しの為建物や室内の温度が異常に上昇するのを防ぐため、日が当たる窓などに園
芸用等の枡目の大きな（一枡が１５ｃｍ角程度）ネットに、合成繊維（雨傘の生地）など
で作ったブドウや朝顔等の葉を模した短冊状の生地多数を取り付けたネット。
【発明の詳細な説明】
【技術分野】
【０００１】
本発明は、強すぎる日光をある程度遮断し木漏れ日のような日陰を作る物に関する。
升目が比較的大きなネット（升目が１５ｃｍ平方程度）に、合成繊維（雨傘等の生地が
適当）を短冊状（ブドウやアサガオの葉の形などを模した物）に切り抜いたものを１マ
スに複数枚取り付けてネットを構成し、陽が当たる建物の窓がある場所にひさしテント
を張るように斜めに取り付けられるようにし、建物や室内の温度が上昇するのを防ぐ。
本発明は、これを解決する手段に関するものである。
【背景技術】
【０００２】
従来、陽が当たる場所で日光や熱線を遮ろうと様々なテントや葦簾、各種のオーニン
グ材が考案され、或いは取り付ける方法などが考えられてきた。
【０００３】
既存の方法では、雨の為重くなり思わぬ突風が吹いて窓などに取り付けたテントやひ
さしが破損するなどの問題があった。
【発明の開示】
【発明が解決しようとする課題】
【０００４】
本発明が解決しようとする課題は、従来のこれらの問題点を解消し太陽光や熱線を適
度に遮蔽し同時に突風など風の風圧を避けて破損から守る遮蔽膜を構成し、建物や室内
が異常に暖められるのを防ぐことである。
【０００５】
併せて、雨などにより日よけネットを構成している素材の材質が水分を含んで重たく
なり風の動きに反応が遅くなりネットが風圧を受けやすくなるという問題があった。
【課題を解決するための手段】
【０００６】
雨傘等の素材生地を使用するため、水分を含んだ木の葉状の短冊の水分を含みにくく
し水滴を落とし且つ蒸散させ、風による動きが緩慢となった状態からもいち早く乾燥状
態に回復できる。
【０００７】
従来のひさしやテントなどの窓を覆うオーニング全体について云える事ですが、強い
日差しを遮断しつつ突風などの風圧にどう対処するか数々の考案がなされてきたが、日
差しを適度に遮蔽するように改めたことで遮蔽膜全体をオーニング材で覆うのではな
く木の葉のように遮蔽幕が動いて風の風圧を逃がし破損から守り、大きな木の下にいて
木漏れ日が射す状態を創出する事ができる。
【０００８】
建物の窓などに取り付けられているひさしやテントなど、太陽の強い日射しから建物
や室内が暖められるのを防ぐ為の各種のオーニング材や取り付け方法が考えられてき
たが、突風などの風圧を受け避けたり取付金具が壊れたりするのが常であった。
本発明では大きな升目のネット材に合成繊維等で作った木の葉状の短冊を多数取り
付けることによって、太陽の光りや熱線を遮断するのではなく適度に遮蔽する事にな
り大木の木陰にいるような木漏れ日の状態を簡単に創出する事が出来る。
その為、日陰のない広場や運動場、散歩道や建物全体などにもそのまま応用できる。
【発明の効果】
【０００９】
本発明では、市販されている園芸用のネットのようなものに木の葉状の短冊が多数取
り付けられたものであるから心材に巻きつけて持ち運びが出来、取り付ける場所もその
時間に日陰が欲しい所など適当な取り付け位置に変更でき、建物や室内が過剰に暖めら
れるのを防ぎ室内なら冷房の効率を高めることができ、或はこれまで日陰のなかった運
動場などの広場に安価で且つ簡単に木陰の広場を創出できて、アウトドアライフを快適
に過ごせる効果がある。
【発明を実施するための最良の形態】
【００１０】
本発明は、何処にでも木陰を創出することができるのが特徴ではあるが、建物の窓際
に設置するものとしては木の葉の形をブドウの葉やアサガオの葉などを模して作った
方が良く、運動会のテントを日陰にする場合などは楠の木の葉やブナの葉の形などを模
すのが実際に使った時、木漏れ日状態に出来るので最良の形態であろうと思われる。
【実施例】
【００１１】
以下、本発明の実施例を図面に基づいて説明する。図１は建物の窓際に日よけネット
が設置されている例である。
【００１２】
図１は実施例の斜視図である。
【００１３】
図中１はベースネット、２は木の葉状短冊、３は取り付け用フック、４は巻き取り用
心材、５は固定具である。
【００１４】
この実施例では、右上からの太陽光線が建物の窓に射すのを適度に遮蔽している例で
ある。
【産業上の利用可能性】
【００１５】
以上の様に本発明によれば、何処にでも木陰を作る事ができ建物等においては冷房効
率を上げることが出来る。
また、西日等が当たる工場等では、簡単に西日をある程度遮蔽することが出来冷房など
の効率が上がり、電力の削減に寄与することが出来る。
【００１６】
また、適度に風圧を逃がし受け流す構造である為、適度の強度を持った支柱があれば
広場や運動場などは勿論日陰のない散歩道に木陰を作り、又海岸線や大きな河川敷等
での魚釣りやキャンプ等にも木陰を作る事が出来、アウトドアライフが楽しくなる事が
期待される。
【図面の簡単な説明】
【００１７】
【図１】実施例の斜視図である。
【符号の説明】
【００１８】
１   ベースネット
２   木の葉状短冊
３   取付け用フック
４   巻き取り用心材
５   固定具    
【図１】
2013104185.tif 000003
(57)【要約】      （修正有）【課題】従来の木造住宅建築では計算をしない限り筋交いと耐力壁が必要となり、また工期が長くかかるので、筋交い、耐力壁が必要でなく施工期間の短縮を図り、誰でもが簡単な道具さえあれば、専門的な知識が無くても施工できる木造住宅構造を提供する。【解決手段】柱１本当りのせん断耐力計算をして置き、建物の重量や風圧力に併せて、必要な柱の本数を確保し、Ｌ型金物を柱の上下に梁または土台の方向にタッピングクギで上下２ケ所、合計４ケ所取り付け、柱の上下にせん断力しか伝えないようにする工法である。【選択図】図１
2013104292.tif 000002
【特許請求の範囲】
【請求項１】
Ｌ型金物を柱の上下に梁、又は土台の方向にタッピングねじで上下２ヶ所、合計４ヶ所取り付ける。
【請求項２】
柱の上下にせん断力しか柱に伝えない方法。
【発明の詳細な説明】
【発明の詳細な説明】
【０００１】本発明は、建築工事で使用される、使用される筋交い、耐力壁の代わりとなる金物を考案したものである。
【０００２】本金物を使用すれば、筋交い、耐力壁は必要ないのである。
【０００３】柱に使われる材種に応じ、そのせん断耐力と柱に軸力によって曲げモーメントが生じない、柱の断面の核にいたるせん断歪みを比較し、柱が倒れないことを、数値で証明したものである。
【０００４】この発明により、筋交い、耐力壁が必要なくなり、施工の期間の短縮が図られ、誰でもが、簡単な道具さえあれば、専門的な知識が無くても、施工が出来るようになったのである。
【０００５】従来の木造の構造計算は、仕口をピンと仮定し、筋交いや耐力壁を設けるものとしていたが、本工法は、柱がせん断力だけを負担するとした工法で、従来の考え方とは、違うのである。
柱の上下が水平力に対して、水平に動くと仮定したもので、現実の動きに即しているのである。
従来の筋交いを取り付けた柱は軸力しか受けないのであるが、其処の考え方が全く違うのである。
【図面の簡単な説明】
【０００６】
【図１】柱の上下に取り付ける金物
【符号の説明】
【０００７】１．長さ１００ｍｍ巾６０ｍｍ厚さ１．６ｍｍのＬ型鉄板
２．長さ５０ｍｍ径４ｍｍ、５ｍｍ、６ｍｍのタッピングビス
【図１】
2013104292.tif 000003
(57)【要約】【課題】  吐水中である事を認識させる表示灯付き蛇口ハンドルを提供する。【解決手段】  蛇口ハンドル本体に、表示灯と、磁石で作動する電気回路を組み込み、蛇口ハンドルにて水を止めたときに、点滅していた表示灯が消灯するように、既設水栓台に磁石を取り付ける。以上を特徴とする表示灯付き蛇口ハンドルである。【選択図】図１
2013104291.tif 000002
【特許請求の範囲】
【請求項１】
蛇口ハンドル本体に表示灯と、磁石で作動する電気回路の組み込みを特徴とした表示灯付き蛇口ハンドル
【発明の詳細な説明】
【技術分野】
【０００１】  本発明は表示灯の付いた蛇口ハンドルに関するものである。
【背景技術】
【０００２】  今日まで表示灯を付けた蛇口ハンドルは無かった。
【発明の開示】
【発明が解決しようとする課題】
【０００３】  その為に、次のような問題点があった。
（１）洗顔等が終わった後、蛇口ハンドルを閉め忘れ、指摘されるまで水を流し放しにする事があった。
（２）水が無駄に使用され、また余分な水道料を払っていた。
本発明はこれらの問題点を解決するためになされたものである。
【課題を解決するための手段】
【０００４】  蛇口ハンドル本体に、表示灯と磁石で作動する電気回路を組み込む。蛇口ハンドルにて水を止めたときに、点滅していた表示灯が消灯するように、既設水栓台に磁石を取り付ける。以上を特徴とする表示灯付き蛇口ハンドルである。
【発明の効果】
【０００５】  表示灯により吐水中であることが、知らされ無駄に資源を消費しないようになる。
【発明を実施するための最良の形態】
【０００６】  以下、本発明の実施の形態について説明する。
（イ）蛇口ハンドル本体（１）に表示灯（２）と、磁石（５）で作動する電気回路（４）を組み込み、電源として電池（３）を装着する。
（ロ）蛇口ハンドル本体（１）にて水を止めた時に、表示灯（２）が消灯するように、既設水栓台に磁石（５）を取り付ける。
本発明は以上のような構成で、これを使用する時には、蛇口ハンドル本体（１）を既設水栓に取り付けた後、電池（３）をセットすると表示灯（２）が点滅します。次に水を止めた時に、既設水栓台に取り付けられた磁石（５）により今まで点滅していた表示灯（２）が消灯する。
【図面の簡単な説明】
【０００７】
【図１】本発明の斜視図
【図２】本発明の断面図
【符号の説明】
【０００８】１  蛇口ハンドル本体
２  表示灯
３  電池
４  電気回路
５  磁石
【図１】
2013104291.tif 000003
【図２】
2013104291.tif 000004